(57)【要約】【課題】簡単、経済的かつ安全に、アルカリ改質および水素改質を行うことのできる入浴水改質用品およびこれを用いた入浴方法を提供する。【解決手段】金属マグネシウム（Ｍｇ）単体が水と反応して、水素（Ｈ２）、マグネシウムイオン（Ｍｇ２＋）および水酸化物イオン（ＯＨ−）が発生する反応を利用することにより、発生した水酸化物イオン（ＯＨ−）によるアルカリ改質および発生した水素（Ｈ２）による水素改質を簡単、経済的かつ安全に行うとともに、発生したマグネシウムイオン（Ｍｇ２＋）の作用により、入浴者に一層の健康増進効果・美容促進効果を与える。【選択図】図１
2018183254.tif 000002
【特許請求の範囲】
【請求項１】
複数個の、金属マグネシウム（Ｍｇ）単体を５０重量％以上含有する粒子を、水を透過する網体で封入してなることを特徴とする入浴水改質用品。
【請求項２】
前記粒子が金属マグネシウム（Ｍｇ）単体を実質的に１００重量％含有するものであることを特徴とする請求項１に記載の入浴水改質用品。
【請求項３】
前記粒子の平均粒径が、１．０〜９．０ｍｍであることを特徴とする請求項１又は２に記載の入浴水改質用品。
【請求項４】
前記水を透過する網体が、ポリエステル繊維製であることを特徴とする請求項１〜３のいずれかに記載の入浴水改質用品。
【請求項５】
入浴水１リットルに対し、前記粒子が１〜１０ｇとなる量で投入されることを特徴とする請求項１〜４のいずれかに記載の入浴水改質用品。
【請求項６】
請求項１〜５いずれかに記載の入浴水改質用品を、浴槽の入浴水に投入して入浴することを特徴とする入浴方法。
【発明の詳細な説明】
【技術分野】
【０００１】
本発明は、浴槽の入浴水に投入して入浴水を改質するために用いる入浴水改質用品およびこの入浴水改質用品を用いた入浴方法に関するものである。
【背景技術】
【０００２】
浴槽中の入浴水（以下、単に「入浴水」という。）をアルカリ性にする、入浴水に水素を含有させる等の改質を加えることにより、入浴者に健康増進効果・美容効果を与えることは従来から行われている。
【０００３】
肌がすべすべになる、湯冷めしにくくなる等の温泉効果を得るために、入浴水をアルカリ性に改質する方法としては、薬剤・入浴剤を入浴水に投入する方法、陽極と陰極との間に電圧を印加する装置を用いる方法（特許文献１および２）等が知られている。
【０００４】
また、入浴者の健康増進効果・美容促進効果を期待して、入浴水に水素を含有させて改質する方法としては、水素ガスを入浴水に供給する方法（特許文献３）、水の電気分解により水素含有水を生成する方法（特許文献４）等が知られている。
【先行技術文献】
【特許文献】
【０００５】
【特許文献１】特開２０００−２６３０４８号公報
【特許文献２】特開２００１−１４９９４０号公報
【特許文献３】特許第４９０７２５４号公報
【特許文献４】特開２０１６−０２２４６９号公報
【発明の概要】
【発明が解決しようとする課題】
【０００６】
上記のような、入浴水をアルカリ性に改質する（以下、「アルカリ改質」という。）ために、薬剤・入浴剤を浴水に投入する方法は、入浴毎に行う必要があるため、面倒かつ経済的でなく、また、特許文献１および２のような電流、電圧を用いる方法は、大がかりな装置を用いるため経済的でなく、さらに入浴者にとって危険でもある。
【０００７】
また、上記のような、入浴水に水素を含有させて改質する（以下、「水素改質」という。）ために、特許文献３のような水素ガスを用いる方法や特許文献４のような電流・電圧用いる方法は、大がかりな装置を用いるため経済的でなく、さらに入浴者にとって危険でもある。
【０００８】
本発明の課題は、簡単、経済的かつ安全に、アルカリ改質および水素改質を行うことのできる入浴水改質用品およびこれを用いた入浴方法を提供することにある。
【課題を解決するための手段】
【０００９】
本発明者らは、金属マグネシウム（Ｍｇ）単体が水と反応して、水素（Ｈ２）、マグネシウムイオン（Ｍｇ２＋）および水酸化物イオン（ＯＨ−）が発生する反応を利用することにより、水酸化物イオン（ＯＨ−）によるアルカリ改質および水素（Ｈ２）による水素改質が簡単、経済的かつ安全に行えるばかりでなく、マグネシウムイオン（Ｍｇ２＋）の作用により、入浴者に一層の健康増進効果・美容促進効果等を与えられることを見出してこの発明をなしたものである。
【発明の効果】
【００１０】
本発明では、アルカリ改質および水素改質を簡単、経済的かつ安全に行うことができ、入浴者に、アルカリ改質による肌がスベスベになる、湯冷めしにくくなる等の温泉効果、水素改質による翌朝の目覚め時が爽快となる等の健康増進効果・美容促進効果を与えるだけでなく、マグネシウムイオン（Ｍｇ２＋）の作用により、入浴者の皮膚の汚れ・体臭が除去できる等の一層の健康増進効果・美容促進効果を与えることができる。
【図面の簡単な説明】
【００１１】
【図１】図１は、本発明の入浴水改質用品の第一の実施例を示す斜視図である。
【図２】図２は、本発明の入浴水改質用品の第二の実施例を示す斜視図である。
【図３】図３は、図２で示した入浴水改質用品から、外部網体を外した状態を示す斜視図である。
【図４】図４は、図２で示した入浴水改質用品の上下両面に設けられている外部網体を示す斜視図である。
【発明を実施するための形態】
【００１２】
本発明は、複数個の、金属マグネシウム（Ｍｇ）単体を５０重量％以上含有する粒子を、水を透過する網体で封入してなる入浴水改質用品およびこれを用いた入浴方法に関するものである。
【００１３】
金属マグネシウム（Ｍｇ）単体が水と反応して水素を発生する反応は、次の反応式で表される。
Ｍｇ＋２Ｈ２Ｏ→Ｈ２＋Ｍｇ２＋＋２ＯＨ−
【００１４】
この反応は、マグネシウムのイオン化傾向によって水との酸化還元反応が起こるために生じる反応であるが、マグネシウムはカルシウム、ナトリウムに比べてイオン化傾向が小さいので、マグネシウム（Ｍｇ）は入浴水（Ｈ２Ｏ）と比較的ゆっくりと反応して、水素（Ｈ２）、マグネシウムイオン（Ｍｇ２＋）および水酸化物イオン（ＯＨ−）を発生する。
【００１５】
そして、発生した水酸化物イオン（ＯＨ−）、水素（Ｈ２）及びマグネシウムイオン（Ｍｇ２＋）により、入浴者に、次のような健康増進効果・美容促進効果を与えることができる。
１）水酸化物イオン（ＯＨ−）で入浴水がアルカリ改質されることにより、入浴者に肌がスベスベになる、湯冷めしにくくなる等の健康増進効果・美容促進効果を与えることができる。
２）水素（Ｈ２）で入浴水が水素改質されることにより、入浴者に翌朝の目覚め時が爽快となる等の健康増進効果・美容促進効果を与えることができる。
３）マグネシウムイオン（Ｍｇ２＋）の作用により、入浴者の皮膚の汚れ・体臭が除去できる等の一層の健康増進効果・美容促進効果を与えることができる。
【００１６】
上記１）のアルカリ改質による健康増進効果・美容促進効果は、特許文献１にも記載されているように、アルカリ単純温泉で知られているような温泉効果である。
上記２）の水素改質による健康増進効果・美容促進効果は、特許文献３にも記載されているように、分子状水素ガスを溶解させた水素水の、生体中の活性酸素および／またはフリーラジカルを除去する効果によるものである。
【００１７】
本発明では、上記１）のアルカリ改質および上記２）の水素改質による健康増進効果・美容促進効果を簡単、経済的かつ安全に入浴者に与えられるだけでなく、上記３）のマグネシウムイオン（Ｍｇ２＋）の作用による優れた効果を奏するものである。
【００１８】
上記３）の効果について説明する。
まず、マグネシウムイオン（Ｍｇ２＋）の作用により、入浴者の皮膚の汚れ・体臭を除去することができる。石鹸、ボディソープ等の界面活性剤を使用して体を洗浄すると、皮膚の汚れと共に油脂も除かれるため、皮膚が乾燥したり、カサカサすることとなるが、マグネシウムイオン（Ｍｇ２＋）の作用により入浴者の皮膚の汚れ・体臭が除去できるため、石鹸、ボディソープ等の界面活性剤を使用して体を洗浄する必要がなくなる。
【００１９】
さらに、入浴水には水道水の残留塩素が含まれており、これにより皮膚が過敏な者は痒みを感じることがあるが、マグネシウムイオン（Ｍｇ２＋）にはこの残留塩素を除去する作用があるため（Ｍｇ２＋＋２Ｃｌ−→ＭｇＣｌ２）、水道水の残留塩素に伴う問題を解決することができる。
また、マグネシウムイオン（Ｍｇ２＋）には、除菌・洗浄・消臭効果があることから、浴室のカビ防止、浴槽、排水溝等の汚れ、臭い等を防止できるという効果も生じる。
【００２０】
本発明の入浴水改質用品に用いられるマグネシウム粒子の組成としては、上記のように、金属マグネシウム（Ｍｇ）単体は室温の水と比較的ゆっくりと反応して水素を発生することから、水素（Ｈ２）、マグネシウムイオン（Ｍｇ２＋）および水酸化物イオン（ＯＨ−）の発生量を多くするために、金属マグネシウム（Ｍｇ）単体を比較的高い割合で含有するものが好ましい。
【００２１】
本発明の「金属マグネシウム（Ｍｇ）単体を５０重量％以上含有する粒子」とは、金属マグネシウム（Ｍｇ）単体を比較的高い割合で含有する粒子を意味しており、具体的には、金属マグネシウム（Ｍｇ）単体を５０重量％以上含有するものであり、８０重量％以上含有するものが好ましく、実質的に１００重量％含有するものがより好ましい（この「実質的に」とは、「現在一般に知られており、現場の生産ベースで採用される精製手段によっては、除去しきれない不純物を、マグネシウム粒子の成分からは除外して考えた場合」を意味する。）。
【００２２】
マグネシウム粒子が含有することができる、主成分の金属マグネシウム（Ｍｇ）単体以外の成分としては、
１）マグネシウム鉱石が含有していたり、マグネシウムの精錬、加工などの工程で随伴してくる、鉄（Ｆｅ）、アルミニウム（Ａｌ）、亜鉛（Ｚｎ）などの不純物
２）水素発生に伴う作用、並びに入浴水を弱アルカリ性にする作用を阻害しない物質
が挙げられる。
【００２３】
本発明の入浴水改質用品に用いられるマグネシウム粒子の平均粒径は、単位体積当たりの表面積を大きくして水素の発生量多くする観点からは小さいほど好ましいが、小さくするにしたがい粒子の強度が低下し、取り扱いも難しくなるため、製造および使用上の観点から、平均粒径は１．０〜９．０ｍｍであることが好ましく、３．０〜７．０ｍｍであることがより好ましく、４．０〜６．０ｍｍであることが最も好ましい。
【００２４】
本発明の入浴水改質用品は、複数個のマグネシウム粒子を、水を透過する網体で封入したものであるので、使用時には浴槽に入れやすく、使用後には浴槽から取り出しやすいものとなっている。
【００２５】
この網体の素材は、耐水性があるものであれば、各種天然繊維、合成繊維を用いることができるが、強度が高く、使用後の乾燥が容易で、洗濯時に着色傾向の小さいポリエステル繊維を用いることが好ましい。
【００２６】
この網体自体の織り方としては、水を透過するものであれば各種の織り方が採用できる。また、網体によるマグネシウム粒子の封入手段としては、マグネシウム粒子が漏れ出さないものであれば各種の封入手段が採用できるが、入浴に繰り返し使用しても、網体に穴が開いたり、縫製部が解けないよう、網体を複数層にする、縫製部に補強布を縫い付けることが好ましい。また、網体に取手を取り付けておけば、使用後に浴槽から取り出したり、乾燥したりする場合に便利である。
【００２７】
本発明の入浴水改質用品は、入浴前または入浴時に、浴槽内の入浴水に投入して用いられる。水素（Ｈ２）、マグネシウムイオン（Ｍｇ２＋）および水酸化物イオン（ＯＨ−）を十分に発生させるためには、少なくとも入浴の１０分前に入浴水に入浴水改質用品を投入しておくのが好ましい。
【００２８】
入浴水に対するマグネシウム粒子の投入量を多くするほど、水素（Ｈ２）、マグネシウムイオン（Ｍｇ２＋）および水酸化物イオン（ＯＨ−）の時間当たりの発生量を増やすことができるが、実用上および経済的観点から、入浴水１Ｌ当たり１〜１０ｇ程度のマグネシウム粒子を投入することが好ましい。
【００２９】
本発明の入浴水改質用品は、マグネシウム粒子が消費されて無くなってしまうまで、何度も繰り返し入浴に使用することができる。
本発明の入浴水改質用品に用いられるマグネシウム粒子は、溶融したマグネシウムを水中に滴下することなどにより、製造することができる。
【実施例】
【００３０】
以下に、実施例をあげて本発明を説明する。なお、本発明は、以下で説明する具体例に何ら限定されるものではなく、本発明と実質的に同一な構成を有し、かつ、同様な作用効果を奏しさえすれば、多様な変更が可能である。
【００３１】
図１に示す入浴水改質用品の第一の実施例は、網袋２内に複数個のマグネシウム粒子１を封入したものである。
【００３２】
この入浴水改質用品は次の手順で作製される。
１）１枚の長方形状の網体を長手方向に中央部で折り重ねる。
２）２つの辺を縫製して網袋２を形成する（縫目は図示していない）。
３）縫製していない辺を開き、その開口から袋体に複数個のマグネシウム粒子１を網袋２内に入れる。
４）本体の開口部を縫製して（これにより網袋の縫目６が形成される）、複数個のマグネシウム粒子１を網袋２内に封入する。
【００３３】
次に、図２に示す入浴水改質用品の第二の実施例は、網袋を２層（内部網体３および外部網体４）にして補強することにより、封入したマグネシウム粒子１が漏れ出しにくくしたものである。
【００３４】
この入浴水改質用品は次の手順で作製される。
１）２枚の長方形の内部網体３の間に複数個のマグネシウム粒子１を配した後、内部網体３の縁部を縫製する（これにより内部網体の縫目７が形成される）。
２）２枚の、内部網体３よりも大きな長方形の外部網体４を、上記１）で作製した物の上下に重ねる。
３）外部網体縁部を縫製する（これにより縫目８が形成される）。
【００３５】
［製造例］
本発明の入浴水改質用品を以下のようにして製造した。
＜マグネシウム粒子の製造＞
溶融した金属マグネシウム（Ｍｇ）単体を水中に投入してマグネシウム粒子を製造し、篩い分けして、直径が４．８〜５．３ｍｍの範囲、平均重量が約０．１４ｇの略球状のマグネシウム粒子を得た。
このマグネシウム粒子の成分を分析した結果は、次のとおりであった。
マグネシウム（Ｍｇ）  ９９．９５０重量％、  鉄（Ｆｅ）  ０．０１５重量％、
アルミニウム（Ａｌ）    ０．０２２重量％、  鉛（Ｚｎ）  ０．０１０重量％、
その他                  ０．００３重量％
【００３６】
＜入浴水改質用品の製造＞
上で得られたマグネシウム粒子１,０００ｇ（約７,２００個）を用いて、第二の実施例（図２）の入浴水改質用品（以下、「改質用品」という。）を製造した。この改質用品は、縦１６ｃｍ、横２７ｃｍ、厚さ３ｃｍ程度の略直方体形状であり、内部網体、外部網体はポリエステル製である。
【００３７】
＜改質用品を用いた入浴テスト＞
本願発明の効果（［１］肌のスベスベ感、［２］湯冷めのしにくさ、［３］汚れ・体臭の除去、［４］翌朝目覚め時の爽快感）を確認するため、１０人のテスターにこの改質用品を貸与して以下の条件でテスト（以下、「入浴テスト」という。）を行った。
〇各テスターは、３日間連続して、改質用品を浴槽の入浴水に投入して、入浴テストを行う。
〇改質用品は入浴の１０分前に、浴槽の入浴水に投入する。
〇入浴テストは、各テスターの通常の入浴法（入浴時間、浴槽に浸かる時間・回数、入浴水温度など）で行う。ただし、入浴テストでは、石鹸、ボディソープ等の界面活性剤で身体を洗浄しないこととする。
〇上記［１］〜［４］の効果の評価は、今回の入浴法を、通常の入浴法と比較した感触が、次の５つのどれに該当するかを選択することにより行う。
＊評価Ａ：通常の入浴法より優れる
＊評価Ｂ：通常の入浴法よりやや優れる
＊評価Ｃ：通常の入浴法と変わらない
＊評価Ｄ：通常の入浴法よりやや劣る
＊評価Ｅ：通常の入浴法より劣る
【００３８】
＜入浴テストの評価結果＞
入浴テストの評価結果を、下記表１にまとめた。
【００３９】
【表１】
2018183254.tif 000003
【００４０】
この入浴テストの結果から、本発明の入浴水改質用品を浴槽の入浴水に投入して行った入浴法は、［１］肌のスベスベ感、［２］湯冷めのしにくさ、［３］汚れ・体臭の除去、および［４］翌朝目覚め時の爽快感の効果において、これを用いない通常の入浴法に比べ、優れていることがわかる。
【００４１】
また、この入浴テストでは、上記［１］〜［４］以外にも、風呂場のマットに黒カビが生えなくなった、入浴水を用いて洗髪すると髪がサラサラになった、乾燥肌・アカギレ・皮膚の炎症が治った等の効果・効能も報告された。
【符号の説明】
【００４２】
１：  マグネシウム粒子
２：  網袋
３：  内部網体
４：  外部網体
６：  網袋の縫目
７：  内部網体の縫目
８：  縫目
【図１】
2018183254.tif 000004
【図２】
2018183254.tif 000005
【図３】
2018183254.tif 000006
【図４】
2018183254.tif 000007